(57)【要約】【課題】不快感を与えずかつ忌避され難い方法によって便器使用者に刺激を与えて覚醒を促すようにした便器装置を提供する。【解決手段】便器装置１は、便器使用者の顔面に向けてその顔面付近で風速１．６ｍ／Ｓ以上の風となるように送風を行うことで当該便器使用者の覚醒を促す送風装置２０を備える。【選択図】図１
2017160631.tif 000002
【特許請求の範囲】
【請求項１】
便器使用者の顔面に向けてその顔面付近で風速１．６ｍ／Ｓ以上の風となるように送風を行うことで当該便器使用者の覚醒を促す送風装置を備えることを特徴とする便器装置。
【請求項２】
着座センサーを更に備えており、その着座センサーの検知信号に基づいて前記送風の方向を切換えることを特徴とする請求項１に記載の便器装置。
【請求項３】
前記送風装置は当該便器装置の側面部に設けられていることを特徴とする請求項１又は２に記載の便器装置。
【請求項４】
人感センサーを更に備えており、その人感センサーの検知信号に基づいて前記送風を開始することを特徴とする請求項１乃至３のいずれか一項に記載の便器装置。
【請求項５】
許可時間帯設定操作部を更に備えており、当該操作部で設定された許可時間帯に前記送風を許可することを特徴とする請求項１乃至４のいずれか一項に記載の便器装置。
【請求項６】
便器前方の床面に敷設され便器使用者の足裏に対して周波数１０〜３０Ｈｚかつレベル５０〜６０ｄＢの振動を行うことで当該便器使用者の覚醒を促す足裏振動装置を備えることを特徴とする便器装置。
【請求項７】
人感センサーを更に備えており、その人感センサーの検知信号に基づいて前記振動を開始することを特徴とする請求項６に記載の便器装置。
【請求項８】
許可時間帯設定操作部を更に備えており、当該操作部で設定された許可時間帯に前記振動を許可することを特徴とする請求項６又は７に記載の便器装置。
【請求項９】
壁面又は床面に設けられた光反射面に向けて光照射を行って便器使用者が覚醒するに足る照度の反射光を生じさせ、当該反射光によって便器使用者の覚醒を促す光源装置を備えることを特徴とする便器装置。
【請求項１０】
着座センサーを更に備えており、その着座センサーの検知信号に基づいて前記光照射の方向を切換えることを特徴とする請求項９に記載の便器装置。
【請求項１１】
人感センサーを更に備えており、その人感センサーの検知信号に基づいて前記光照射を開始することを特徴とする請求項９又は１０に記載の便器装置。
【請求項１２】
許可時間帯設定操作部を更に備えており、当該操作部で設定された許可時間帯に前記光照射を許可することを特徴とする請求項９乃至１１のいずれか一項に記載の便器装置。
【発明の詳細な説明】
【技術分野】
【０００１】
本発明は、便器使用者に刺激を与えて覚醒を促す機能を有した便器装置に関する。
【背景技術】
【０００２】
前記のような便器装置の従来例として、次の特許文献には、便器装置に灯火部を設け強い光刺激によって便器使用者の覚醒を促すことが記載されている。
【先行技術文献】
【特許文献】
【０００３】
【特許文献１】特開２００２−３５２９６６号公報
【発明の概要】
【発明が解決しようとする課題】
【０００４】
しかしながら前記特許文献の記載のような構成では、便器使用者がまぶしさのため目を閉じる等して光刺激を忌避するため充分な覚醒効果が得られないことも考えられる。これに対し、本発明は、不快感を与え難い方法によって覚醒を促すようにした便器装置を提供することを目的としたものである。
【課題を解決するための手段】
【０００５】
本発明による便器装置は、便器使用者の顔面に向けてその顔面付近で風速１．６ｍ／Ｓ以上の風となるように送風を行うことで当該便器使用者の覚醒を促す送風装置を備えることを特徴とする。
【０００６】
また本発明による便器装置は、便器前方の床面に敷設され便器使用者の足裏に対して周波数１０〜３０Ｈｚかつレベル５０〜６０ｄＢの振動を行うことで当該便器使用者の覚醒を促す足裏振動装置を備えることを特徴とする。
【０００７】
また本発明による便器装置は、壁面又は床面に設けられた光反射面に向けて光照射を行って便器使用者が覚醒するに足る照度の反射光を生じさせ、当該反射光によって便器使用者の覚醒を促す光源装置を備えることを特徴とする。
【発明の効果】
【０００８】
送風によって覚醒を促す構成とした発明では、便器使用者の顔面に向けて適切な風速で送風を行うので、便器使用者に不快感を与えずに覚醒を促すことができる。
【０００９】
振動によって覚醒を促す構成とした発明では、便器使用者の足裏に対して適切な周波数及びレベルの振動を行うので、便器使用者に不快感を与えずに覚醒を促すことができる。
【００１０】
間接光によって覚醒を促す構成とした発明では、光源装置からの強い光が便器使用者を直射しないので、便器使用者に不快感を与えず、光反射面からの十分な間接光によって覚醒を促すことができる。
【図面の簡単な説明】
【００１１】
【図１】（ａ）…（ｃ）は実施形態の一例とされる便器装置のそれぞれ正面図、側面図、平面図である。
【図２】前記便器装置の回路構成を示す簡単なブロック図である。
【図３】（ａ）、（ｂ）はそれぞれ座位、立位にある便器使用者に対する送風の態様を示す側面図である。
【図４】ビューフォート風力階級表を一部抜粋したものである（参考資料）。
【図５】送風に係る動作の基本手順を示すフローチャートである。
【図６】実施形態の変形例の全体斜視図である。
【図７】（ａ）、（ｂ）は実施形態の他例とされる便器装置のそれぞれ側面図、平面図である。
【図８】前記実施形態の他例とされる便器装置の回路構成を示す簡単なブロック図である。
【図９】（ａ）、（ｂ）はそれぞれ座位、立位にある便器使用者に対する振動の態様を示す側面図である。
【図１０】振動に係る動作の基本手順を示すフローチャートである。
【図１１】（ａ）…（ｃ）は実施形態の更なる他例とされる便器装置のそれぞれ正面図、側面図、平面図である。
【図１２】前記実施形態の更なる他例とされる便器装置の回路構成を示す簡単なブロック図である。
【図１３】（ａ）、（ｂ）はそれぞれ座位、立位にある便器使用者に対する光照射の態様を示す側面図である。
【図１４】光反射面の反射パターンの一例である。
【図１５】光照射に係る動作の基本手順を示すフローチャートである。
【発明を実施するための形態】
【００１２】
図１（ａ）…（ｃ）は実施形態の一例とされる便器装置のそれぞれ正面図、側面図、平面図である。なお側面図にのみリモコン式の操作部を示している。また図２はその便器装置の回路構成を示す簡単なブロック図である。本実施形態は、例えば朝方等において覚醒を促すために便器使用者の顔面に向けて風速１．６ｍ／Ｓ以上の送風を行う新規な機能が付加されている。
【００１３】
便器装置１は水道管に直結されたタンクレス方式のものであり、ボウル部１０を保持する便器本体１１と、便座部１２と、蓋部１３とからなり、更に、便器本体１１の両側面に、便器使用者の顔面に向けて送風を行う送風装置２０が設けられている。なお送風装置２０は便器本体１１の一側面のみに設けられてもよい。このように送風装置２０を便器装置１の側面部に設ければ、その送風装置２０が用便の際に邪魔になることはない。
【００１４】
ボウル部１０及び便器本体１１は陶器又は樹脂等からなる。これらは一体に形成されていても、別体として形成されたあと接着剤等によって一体化されたものでもよい。ボウル部１０は底部に設けられた排水口１０ａからトラップ（図示なし）等を介して下水管に接続される。便器本体１１には、給水用電磁弁、局部洗浄機構、トラップ機構、制御部１６等が内蔵されている。また便器本体１１の上面部には人感センサー１４が設けられ、便座部１２が当接する縁部には着座センサー１５が設けられている。例えば人感センサー１４は赤外素子等によって、着座センサー１５は圧電素子等によって構成できる。
【００１５】
便座部１２は、樹脂等からなり中央部が開口した着座用の板体であって、その後方部分は便器本体１１に回動自在に連結されている。また蓋部１３は、便座部１２をカバーするための部材であって、その後方部分は便器本体１１に回動自在に連結されている。
【００１６】
制御部１６はマイコン基板等からなり、制御プログラムに従って、給水用電磁弁、局部洗浄機構、トラップ機構等を制御する。
【００１７】
送風装置２０は、便器使用者の顔面に向けてその顔面付近で風速１．６ｍ／Ｓ以上の風となるように送風を行うことで便器使用者の覚醒を促す要素であり、ブロアー部２０ａと、風向風量調節部２０ｂとで構成されている。
【００１８】
ブロアー部２０ａはファンを内蔵しており、そのファンの回転によってエアを下方側から吸い込んで上方側に吹き出すように構成されている。ブロアー部２０ａのエア吹出口はネット状のガードが設けられている。
【００１９】
風向風量調節部２０ｂは、ブロアー部２０ａ自体を回動させる（図１（ｂ）参照）ことで風向を調節し、ブロアー部２０ａのファン回転数を可変することで風量を調節するように構成されている。ブロアー部２０ａの回動は例えばサーボモータで行ってもよい。またブロアー部２０ａのファン回転数は例えばファンモーターが直流モーターであればその駆動電圧を調節することで可変できる。
【００２０】
操作部３０はリモコン式であって、有線又は無線によって便器本体１１の制御部１６と通信するように構成されている。操作部３０には、排水、局部洗浄、温度設定等の一般的な操作スイッチ類３０ａ、モード切替スイッチ３０ｂ、覚醒スイッチ３０ｃ、許可時間帯設定用のクロック３０ｄ等が設けられている。
【００２１】
操作部３０では、モード切替スイッチ３０ｂを操作することで、送風に係る動作モードとして、自動モードと手動モードとを切替設定できる。自動モードは人感センサー１４による人体検知に基づいて送風動作が自動的に行われるモードである。このような自動モードが利用できれば、操作の煩わしさがなく、操作のし忘れも防止できる。一方、手動モードは覚醒スイッチ３０ｃの手動操作に基づいて送風動作が行われるモードである。このような手動モードが利用できれば、便器使用者の体調や気分によって自由に送風の有無を選択できる。
【００２２】
クロック３０ｄは許可時間帯設定操作部を構成する。具体的には、クロック３０ｄは許可時間帯の設定操作を受け付けてその設定情報を記憶し、現在時刻がその時間帯であるか否かを制御部１６に通知する。送風動作は許可時間帯でのみ許可する構成とすれば、昼間等、覚醒を促す必要がないときに送風が行われないので電力消費が抑えられる。
【００２３】
次いで便器装置１の基本動作であるが、ボウル部１０の給排水、局部洗浄、便座保温等に係る動作は従来と同様なのでその説明は省略し、以下、送風に係る動作を詳細に説明する。
【００２４】
図３（ａ）、（ｂ）はそれぞれ座位、立位にある便器使用者に対する送風の態様を示す側面図である。なお図中のハッチングは送風領域を示している。
【００２５】
図３（ａ）に示すように便器使用者が座位にある場合、側面視したとき、その顔面は送風装置２０の上方乃至やや後方に位置する。一方、図３（ｂ）に示すように便器使用者が立位にある場合、その顔面は送風装置２０の上方乃至やや前方に位置する。また便器使用者の顔面と送風装置２０との距離は、便器使用者が座位にある場合の方が、便器使用者が立位にある場合よりも近くなる。
【００２６】
したがって便器使用者が座位にある場合には、送風装置２０は上方よりもやや後方に向けて弱めの送風を行う一方、便器使用者が立位にある場合には、送風装置２０は上方よりもやや前方に向けて強めの送風を行うようにするとよい。このようにすれば便器使用者の体位によらずその顔面に一定の風を吹きかけることが可能になる。
【００２７】
ここで覚醒効果を得るための送風について検討する。覚醒効果を得るためには、送風は少なくとも便器使用者が顔面に風を感じる程度の強さは必要である。しかしながら送風が強すぎると便器使用者に不快感を与えることになる。
【００２８】
例えば風力に関する一般的な資料としてビューフォート風力階級表がある。
図４は、気象庁ホームページ（http://www.jma.go.jp/jma/kishou/know/kansoku_guide/c4.html）に記載のビューフォート風力階級表を一部抜粋したものである。この風力階級表によれば、風力階級２、すなわち風速にして１．６−３．３ｍ／ｓのときに「顔に風を感じる」とある。
【００２９】
また一般的な資料ではないが、発明者らの研究（技術報告書「冷却能力と覚醒維持レベルの関係明確化（第１報）」１９９５年  松下電工）によれば、風速と覚醒度回復効果の関係に係る主観調査として次のような被験者のコメントが得られている。これは吹出口における風の平均初速度ごとの主観（室温風の場合）である。
１ｍ／ｓ…「非常に弱い風速で、ほんの少し気流を感じるといった程度。眠りかけている場合には、風に気付かないこともあるのではないだろうか。」
２ｍ／ｓ…「眠りかけていたとしても、とりあえず風に気付いて一旦は目が覚めるかもしれない。しかし意識がはっきりするところまでは覚醒度は回復しないような気がする。」
３ｍ／ｓ・・・「眠りかけていても、風に気付いてわりとはっきり目が覚めるのではないだろうか。それにこの程度の風速ならば数分間浴びていてもそれほど不快ではなさそうだ。」
４ｍ／ｓ…「たとえ眠っていたとしても、風に気付いてはっきり目が覚めるに違いなさそう。ただし、少々強めだと感じ、目を開けたままではつらい（すぐ目が乾く）。作業中にこのような強い風速の風を浴び続けたら、煩わしくて不快だろう。」
５ｍ／ｓ…「かなり強い風速のため、作業中に浴びる風としては明らかに不必要だと思われる。送風音もかなりのもので、気になる。」
なお前記における風速１ｍ／ｓ…５ｍ／ｓは吹出口における風速であって、顔面における風速はそれぞれより小さな値になる。例えば吹出口における１ｍ／ｓは顔面における風速０．４ｍ／ｓに相当し、例えば吹出口における３ｍ／ｓは顔面における風速０．９ｍ／ｓに相当する。
【００３０】
前記ビューフォート風力階級表及び風速と覚醒度回復効果の関係に係る主観調査を参酌すれば、便器使用者の顔面付近における下限として風速０．９ｍ／ｓ以上、望ましくは１．６ｍ以上、上限として３．４ｍ／ｓ未満にすると充分な覚醒効果が得られると考えられる。このように本実施形態では、便器使用者の顔面に向けて適切な風速で送風を行うので、便器使用者に不快感を与えずにそのため忌避されることもなく覚醒を促すことができる。
【００３１】
図５は便器装置の前記送風に係る動作の基本手順を示すフローチャートである。
ステップ１００は、制御部１６が、許可時間や自動、手動モードの設定操作を受け付ける処理である。ここで許可時間帯として例えばＡＭ７：００〜ＡＭ９：００等が設定される。またモードとして自動モード、手動モードのいずれかが設定される。
【００３２】
ステップ１０１は、現在時刻が設定された許可時間帯か否かを判断する処理である。
ステップ１０２は、現在時刻が許可時間帯でない場合に送風をせずに手順を終了する処理であり、ステップ１０３は、現在時刻が許可時間帯である場合に自動モードか否かを判断する処理である。
【００３３】
ステップ１０４は、自動モードである場合に、人感センサー１４の検知信号に基づいて便器使用者の有無を判断する処理である。ステップ１０５は、便器使用者がいない場合に送風をせずに手順を終了する処理である。
【００３４】
ステップ１０６は、自動モードでない場合（つまり手動モード）に、覚醒スイッチ３０ｃの操作の有無を判断する処理である。ステップ１０７は、覚醒スイッチ３０ｃの操作がない場合に送風をせずに手順を終了する処理である。
【００３５】
ステップ１０８は、自動モードであり、かつ人体検知がある場合、もしくは自動モードでなく、かつ覚醒スイッチ３０ｃの操作がある場合に、着座センサー１５の検知信号に基づいて便器使用者の着座を判断する処理である。ステップ１０９は、便器使用者が座位にある場合に、座位用の送風をさせる処理である。具体的には送風装置２０から上方よりもやや後方に向けて弱めの送風を行わせる。ステップ１１０は、便器使用者が座位にない場合（つまり立位にある）に、立位用の送風をさせる処理である。具体的には送風装置２０から上方よりもやや前方に向けて強めの送風を行わせる。このように便器装置１は着座センサー１５の検知信号に基づいて送風の方向を切換える。このような送風を所定時間行ったあとは手順を終了する。
【００３６】
図６は実施形態の変形例の全体斜視図である。この変形例は、図１（ａ）…（ｃ）に示した例に対して送風装置の構成が相違している。よって図１（ａ）…（ｃ）に示した例に共通する要素には同一の参照符号を付けて説明を省略する。
【００３７】
この便器装置１は便器本体１１の両側に肘掛１７を備えており、送風装置２０のブロアー部２０ａは、それぞれの肘掛１７の先端部に内蔵されている。送風装置２０の風量調節については図１（ａ）…（ｃ）に示した例と同様である。一方、風向調節については、風向風量調節部２０ｂを肘掛１７に内蔵させてブロアー部２０ａのみを回動させてもよい。あるいは風向風量調節部２０ｂを肘掛１７の連結部分１８に設けて肘掛１７全体を回動させてもよい。このように肘掛１６に送風装置２０を設けた構成とすれば、高級感や見栄えに優れるという利点がある。
【００３８】
図７（ａ）、（ｂ）は実施形態の他例とされる便器装置のそれぞれ側面図、平面図である。側面図にのみリモコン式の操作部３０を示している。また図８はその便器装置の回路構成を示す簡単なブロック図である。本実施形態は、例えば朝方等において覚醒を促すために便器使用者の足裏に対して周波数１０〜３０Ｈｚかつレベル５０〜６０ｄＢの振動を行う新規な機能が付加されている。
【００３９】
この便器装置１において、図１（ａ）…（ｃ）に示した便器装置に共通する要素には同一の参照符号を付けて説明を省略する。
【００４０】
足裏振動装置４０は、薄板形状を有し、便器前方の床面に敷設され便器使用者の足裏に対して周波数１０〜３０Ｈｚかつレベル５０〜６０ｄＢの振動を行うことで、便器使用者の覚醒を促す要素である。具体的には、足裏振動装置４０は、例えば７０×３５センチ四方程のウレタンフォーム等からなる基材４０ａに、アンバランス型又は電動型の振動発生器４０ｂを内蔵させた構造のものとしてもよい。
【００４１】
アンバランス型振動発生器は、モーターにアンバランスなウェイトをつけて回転させ遠心力によって振動を発生させるものである。また電動型振動発生器はスピーカーと同様の原理で振動を発生させるものである。なお振動発生器４０ｂはアンバランス型、電動型に限定されず、他の原理によるものでもよい。また振動発生器４０ｂは左足用、右足用の２つとしても良いし、単独としてもよい。
【００４２】
なお足裏振動装置４０はつまずかないように厚みを抑え、かつ足をぶつけたときに負傷しないように柔軟性を持たせるとよい。また図示のように足裏振動装置４０の前縁に斜面部４０ｃを持たせてもよい。また足裏振動装置４０には、防水性、抗菌性を持たせるとよい。
【００４３】
操作部３０では、モード切替スイッチ３０ｂの操作によって、振動に係る動作モードとして、自動モードと手動モードとを切替設定できる。自動モードは人感センサー１４による人体検知に基づいて振動が自動的に行われるモードである。このような自動モードが利用できれば、操作の煩わしさがなく、操作のし忘れも防止できる。一方、手動モードは覚醒スイッチ３０ｃの手動操作に基づいて振動が行われるモードである。このような手動モードが利用できれば、便器使用者の体調や気分によって自由に振動の有無を選択できる。
【００４４】
クロック３０ｄは許可時間帯設定操作部を構成する。具体的には、クロック３０ｄは許可時間帯の設定操作を受け付けてその設定情報を記憶し、現在時刻がその時間帯であるか否かを制御部１６に通知する。振動は許可時間帯でのみ許可する構成とすれば、昼間等、覚醒を促す必要がないときに振動が行われないので電力消費が抑えられる。
【００４５】
次いで便器装置１の基本動作であるが、便器装置としての基本動作は従来と同様なので、その説明は省略し、以下、振動に係る動作について説明する。
【００４６】
図９（ａ）、（ｂ）はそれぞれ座位、立位にある便器使用者に対する振動の態様を示す側面図である。なお図中の多重円弧は振動を示している。
【００４７】
足裏振動装置４０は便器前方の床面に敷設されているので、図８（ａ）に示すように便器使用者が座位にある場合でも、図８（ｂ）に示すように便器使用者が立位にある場合でも、振動発生器４０ｂは、その者の足裏の真下になる。そのため足裏振動装置４０による振動が便器使用者の足裏に確実に伝達されて覚醒を促すことができる。
【００４８】
本実施形態では、覚醒効果を得るために、便器使用者が知覚し易く、かつ不快感が抑えられる周波数、強度の振動を選択する必要がある。
【００４９】
知覚しやすい振動周波数に関する資料として、独立行政法人産業技術総合研究所のレポート（「シリーズ『振動に関わる苦情への対応』−第２回 振動の基礎：振動の発生と伝搬」公害等調整委員会機関誌「ちょうせい」第７４号（平成２５年８月））に振動感覚補正特性のグラフが示されている。これによれば人は概ね３〜３０Ｈｚの振動に敏感であることがわかる。そして更に、住民が振動をよく感じるという訴え率が５０％になるのは、振動レベルでほぼ７０ｄＢdBを超えたあたりであることが記載されている。つまり７０ｄＢを超える振動に対して人は不快感を受け易いということである。
【００５０】
また３〜６Ｈｚの振動は人体にとって有害であることも云われている（子安  勝編著：音響工学講座4  騒音・振動（上）日本音響学会編、コロナ社刊  p216. 1978））。
【００５１】
また振動の周波数が高くなると基材４０ａや床面の振動による騒音が知覚されて便器使用者に不快感を与えることも考えられる。そのような現象を抑えるため振動周波数は騒音として聴き取り難い３０Ｈｚ以下にするとよい。
【００５２】
前記のような理由から、足裏振動装置４０は周波数７〜３０Ｈｚかつレベル５０〜７０ｄＢの振動を行うようにすれば、充分な覚醒効果が得られかつ不快感や有害な影響を与えることもない。しかしながら低い周波数の強い振動を発生させる振動発生器は大型であり、床面に敷設して使用する足裏振動装置４０には採用し難い。よって足裏振動装置４０では小型の振動発生器を採用し、振動の周波数をやや高くし、レベルをやや低くする、例えば周波数１０〜３０Ｈｚ、レベル５０〜６０ｄＢの振動を行うことが適切であると考えられる。このように本実施形態では、便器使用者の足裏に対して適切な周波数及びレベルの振動を行うので、便器使用者に不快感を与えずにそのため忌避されることもなく覚醒を促すことができる。
【００５３】
図１０は便器装置の前記振動に係る動作の基本手順を示すフローチャートである。
ステップ２００は、制御部１６が、許可時間や自動、手動モードの設定操作を受け付ける処理である。
【００５４】
ステップ２０１は、現在時刻が設定された許可時間帯か否かを判断する処理である。
ステップ２０２は、現在時刻が許可時間帯でない場合に送風をさせずに終了する処理であり、ステップ２０３は、現在時刻が許可時間帯である場合に自動モードか否かを判断する処理である。
【００５５】
ステップ２０４は、自動モードである場合に、人感センサー１４の検知信号に基づいて便器使用者の有無を判断する処理である。ステップ２０５は、便器使用者がいない場合に振動を行わずに手順を終了する処理である。
【００５６】
ステップ２０６は、自動モードでない場合に、覚醒スイッチ３０ｃの手動操作の有無を判断する処理である。ステップ２０７は、覚醒スイッチ３０ｃの操作がない場合に振動を行わずに手順を終了する処理である。
【００５７】
ステップ１０８は、自動モードであり、かつ人体検知がある場合、もしくは自動モードでなく、かつ覚醒スイッチ３０ｃの操作がある場合に、振動を行う処理である。この振動を所定時間行ったあとは手順を終了する。
【００５８】
図１１（ａ）…（ｃ）は実施形態の更なる他例とされる便器装置のそれぞれ正面図、側面図、平面図である。側面図にのみリモコン式の操作部３０を示している。また図１２はその便器装置の回路構成を示す簡単なブロック図である。本実施形態は、例えば朝方等において、壁面及び床面に設けられた光反射面に向けて光照射を行って反射された間接光によって便器使用者の覚醒を促す新規な機能が付加されている。光反射面は、便器装置周囲の壁面及び床面に予め形成しておく（図１３（ａ）、（ｂ）参照）。
【００５９】
この便器装置１において、図１（ａ）…（ｃ）に示した便器装置に共通する要素には同一の参照符号を付けて説明を省略する。
【００６０】
便器装置１は、トイレの壁面又は床面に設けられた光反射面（後述）に向けて所定照度の光照射を行って反射光を生じさせ、この反射光によって便器使用者の覚醒を促す光源装置５０を備える。例えば光源装置５０は、例えば４００〜６００Ｌｘの照度で光を照射すれば、壁面又は床面に設けられた光反射面で反射された間接光は、光反射面の反射率等にもよるが便器使用者の覚醒を促す照度を有するものになると考えられる。
【００６１】
光源装置５０は、光源ランプ、反射鏡、レンズ等の光学部品５０ｃを有する光照射部５０ａと、光照射部５０ａを回動させる等して光の照射方向を調節する照射方向調節部５０ｂとからなる。光源ランプの種別に特段の制限はなく、白熱ランプ、蛍光ランプ、あるいはＬＥＤランプ等が利用できる。また照射方向調節部５０ｂは例えばサーボモータ等で構成できる。なお光源装置５０は、便器使用者自身が覚醒効果を感じられるように、光源ランプの出力を自由に調節できるように構成するとよい。
【００６２】
操作部３０では、モード切替スイッチ３０ｂの操作によって、光照射に係る動作モードとして、自動モードと手動モードとを切替設定できる。自動モードは人感センサー１４による人体検知に基づいて光照射が自動的に行われるモードである。このような自動モードが利用できれば、操作の煩わしさがなく、操作のし忘れも防止できる。一方、手動モードは覚醒スイッチ３０ｃの手動操作に基づいて光照射が行われるモードである。このような手動モードが利用できれば、便器使用者の体調や気分によって自由に光照射の有無を選択できる。
【００６３】
クロック３０ｄは許可時間帯設定操作部を構成する。具体的には、クロック３０ｄは許可時間帯の設定操作を受け付けてその設定情報を記憶し、現在時刻がその時間帯であるか否かを制御部１６に通知する。光照射は許可時間帯でのみ許可する構成とすれば、昼間等、覚醒を促す必要がないときに振動が行われないので電力消費が抑えられる。
【００６４】
次いで便器装置１の基本動作であるが、便器装置としての基本動作は従来と同様なので、その説明は省略し、以下、光照射に係る動作について説明する。
【００６５】
図１３（ａ）、（ｂ）はそれぞれ座位、立位にある便器使用者に対する光照射の態様を示す側面図である。なお図中のハッチング部分は光源装置から照射された直接光及びその反射された間接光を示している。
【００６６】
図１３（ａ）に示すように便器使用者が座位にある場合、側面視したとき、その顔面は光源装置５０の上方乃至やや後方に位置し、便器装置１の前方側を向いている。この場合、便器装置１は前方からやや下方に向けて光を照射すれば、その光は光反射面５１によって反射されて便器使用者に向かう間接光になるので、便器使用者の覚醒を促すことができる。
【００６７】
一方、図１３（ｂ）に示すように便器使用者が立位にある場合、その顔面は光源装置５０の上方乃至やや前方に位置し、便器装置１の方（下方）を向いている。この場合、便器装置１は、便器装置真横付近の床面に向けて光を照射すれば、その光は光反射面５１によって反射されて便器使用者に向かう間接光になるので、便器使用者の覚醒を促すことができる。
【００６８】
光照射部５０の照射する光としては、高色温度（６５００Ｋ以上）、かつ高照度（５００Ｌｘ以上）とすることが、その間接光によって便器使用者の覚醒を促す上で非常に効果的である。一方、光反射面５１は光を拡散反射させることで眩しさを抑えることが望ましい。
【００６９】
光反射面５１は、例えば透明なマトリックスに光反射性微粒子等を高密度に分散した塗料、フィルム等によって形成できる。好適な塗料としては例えば日本ペイント株式会社の「アカルクス（登録商標）」があり、好適なフィルムとしては例えば３Ｍジャパン株式会社の「３Ｍ明るさ向上フィルム（登録商標）IL-095」がある。
【００７０】
また間接光の照度を調節するため、光反射面５１の表面に例えば任意形状の反射パターンを形成してもよい。
【００７１】
図１４は、光反射面における反射パターンの一例である。この反射パターンは、高反射領域と低反射領域とを組み合わせて木漏れ日模様を形成したものである。具体的には、濃ハッチングで示す部分を低反射パターンとし、淡ハッチングで示す部分を高反射パターンとしている。低反射パターンは高反射パターンの１／４〜１／１０程の反射率とすればよい。そうした場合、低反射パターンと高反射パターンとの面積比率によって全体として反射率、すなわち間接光の照度を自由に調節できる。例えば、間接光の輝度分布が２００００ｃｄ／ｍ２以下になるように反射パターンの平均反射を設定すれば眩しさを抑えることができる。
【００７２】
図１５は便器装置の前記振動に係る動作の基本手順を示すフローチャートである。
ステップ３００は、制御部１６が、許可時間や自動、手動モードの設定操作を受け付ける処理である。
【００７３】
ステップ３０１は、現在時刻が設定された許可時間帯か否かを判断する処理である。
ステップ３０２は、現在時刻が許可時間帯でない場合に光照射をせずに手順を終了する処理であり、ステップ３０３は、現在時刻が許可時間帯である場合に自動モードか否かを判断する処理である。
【００７４】
ステップ３０４は、自動モードである場合に、人感センサー１４の検知信号に基づいて便器使用者の有無を判断する処理である。ステップ３０５は、便器使用者がいない場合に光照射をせずに手順を終了する処理である。
【００７５】
ステップ３０６は、自動モードでない場合に、覚醒スイッチ３０ｃの手動操作の有無を判断する処理である。ステップ３０７は、覚醒スイッチ３０ｃの操作がない場合に光照射をせずに手順を終了する処理である。
【００７６】
ステップ３０８は、自動モードであり、かつ人体検知がある場合、もしくは自動モードでなく、かつ覚醒スイッチ３０ｃの操作がある場合に、着座センサー１５の検知信号に基づいて便器使用者の着座を判断する処理である。ステップ１０９は、便器使用者が座位にある場合に、座位用の光照射をする処理である。具体的には便器装置１の前方に向けて光照射を行う。ステップ３１０は、便器使用者が座位にない場合（つまり立位にある）に、立位用の光照射をする処理である。具体的には便器装置真横の床面に向けて光照射を行う。このように便器装置１は着座センサー１５の検知信号に基づいて光照射の方向を切換える。これらのような光照射を所定時間行ったあとは手順を終了する。
【符号の説明】
【００７７】
１        便器装置
１４      人感センサー
１５      着座センサー
２０      送風装置
３０ｄ    許可時間帯設定操作部
４０      足裏振動装置
５０      光源装置
５１      光反射面
【図１】
2017160631.tif 000003
【図２】
2017160631.tif 000004
【図３】
2017160631.tif 000005
【図４】
2017160631.tif 000006
【図５】
2017160631.tif 000007
【図６】
2017160631.tif 000008
【図７】
2017160631.tif 000009
【図８】
2017160631.tif 000010
【図９】
2017160631.tif 000011
【図１０】
2017160631.tif 000012
【図１１】
2017160631.tif 000013
【図１２】
2017160631.tif 000014
【図１３】
2017160631.tif 000015
【図１４】
2017160631.tif 000016
【図１５】
2017160631.tif 000017